(57)【特許請求の範囲】
【請求項１】
ＴＶ信号処理装置（１２）におけるビデオ情報の表示をコントロールする方法において、
基準レベルを設定するステップと、
ＴＶ信号のオーディオ番組ポーションをモニタするステップと、
前記オーディオ番組ポーションのモニタに応答して、前記ＴＶ信号に関する予備情報の表示をイネーブルにすることによって、前記ＴＶ信号のビデオ番組ポーションを表すビデオ信号をモディファイするステップとを備え、
前記オーディオ番組ポーションをモニタするステップは、前記オーディオ番組ポーションのオーディオレベルを前記基準レベルと比較するステップを含み、
前記ＴＶ信号に関する予備情報の表示をイネーブルにすることは、前記オーディオレベルが前記基準レベル未満である場合に、前記ＴＶ信号に関する予備情報の表示をイネーブルにすることを含むことを特徴とする方法。
【発明の詳細な説明】
【０００１】
【発明の属する技術分野】
本発明は、ＴＶ信号処理装置におけるビデオ情報をコントロールする予備ビデオ情報表示コントロール方法に関する。
【０００２】
【従来の技術】
ＴＶシステムによるビデオ信号処理選択は、クローズド・キャプションド・データのような予備ビデオ情報をデコードし表示する対策（provision）を含んでいる。このクローズド・キャプションド・データは、オーディオデータ、例えば、ＴＶ信号に含めることができる話（speech）に対応するテキストデータを表すASCIIデジタルデータを含んでいる。このクローズド・キャプションド・データは、ＴＶシステムのスクリーン上に表示することができる。この表示は、クローズド・キャプション機構がイネーブルにされたときで、聴覚に障害のあるＴＶ視聴者を援助するためＴＶ番組の話の部分（spoken portion）がビジュアルに表現されたとき、行なわれる。
【０００３】
米国では、例えば、クローズド・キャプショニング標準は、「ＦＣＣ（Federal Communication Commission）」レギュレーション（例えば、４７ ＣＦＲ §１５．１１９および§７３．６８２を参照）に発表されている。ＦＣＣレギュレーションは、デジタル・クローズド・キャプション・データがビデオ信号のフィールド１のライン２１で伝送される、としている。２つのASCIIキャラクタを表すデータは、フィールド１のライン２１ごとに伝送される。
【０００４】
クローズド・キャプショニング・データはデコーダによってビデオ信号から取り出される。クローズド・キャプショニング機能／機構が視聴者によりイネーブルにされたとき、このデコーダからの信号はビデオディスプレイ装置に結合される。オペレーションのセットアップモードのようなオペレーションのコントロールモードにおいて、クローズド・キャプショニングは、ビデオスクリーン上に表示されているメニューからクローズド・キャプショニング機能を選択することにより常にイネーブルにされる。
【０００５】
一度アクティベートされると、クローズド・キャプショニングは、典型的には、視聴者が適正なメニューをアクティベートし、クローズド・キャプショニング機能／機構を選択解除（ディスエーブル）するまで、イネーブルのままである。
【０００６】
【発明が解決しようとする課題】
このようにクローズド・キャプショニングをインプリメントしても次のような欠点がある。すなわち、クローズド・キャプショニングをイネーブルしたりディスエーブルしたりするには、セットアップメニューをナビゲートするため時間がかかるので、視聴者はクローズド・キャプショニングを使用するのをためらっている。これに対して、クローズド・キャプショニングを表示してもビデオ番組の表示に影響を及ぼさないから、聴覚に障害を持つ視聴者はなんなくクローズド・キャプショニングをイネーブルすることができる。クローズド・キャプショニングは大部分のＴＶに含まれている機構であるが、これを使用しているＴＶ視聴者はほとんどいない。
【０００７】
これは周知のことであるが、ＴＶ番組を観ているときにオーディオ信号レベルが著しく変化することがある。例えば、ＴＶ番組中のキャラクタは叫んだり囁いたりできる。同様に、あるキャラクタが別のキャラクタよりも大きな声で話すこともできる。仮に視聴者がオーディオレベルをＴＶ番組のラウド（loud）なオーディオポーションに合せていた場合には、静かに話す声は聞き取れないことになる。この声を聞き取るためには、視聴者はオーディオレベルを調整する必要がある。
【０００８】
オーディオレベルが頻繁に変化すると、その度に視聴者はオーディオレベルを調整しなければならないから、視聴者はすぐに煩わしくなってしまう。
【０００９】
【課題を解決するための手段】
本発明の一態様では、信号処理システムはビデオ情報の表示をコントロールする。特に、ビデオおよびオーディオ信号を処理するシステムは、ＴＶ番組信号に関するビデオ情報の表示を、ＴＶ番組信号のパラメータに応じてコントロールする。具体的には、ＴＶ信号処理システムは、ＴＶ番組信号のオーディオ信号ポーションのパラメータに応じて、ＴＶ番組信号の予備ビデオ情報の表示をコントロールする。
【００１０】
本発明の一態様によれば、ビデオ情報の表示をコントロールする方法は、ＴＶ信号のオーディオ番組ポーションをモニタするステップと、このオーディオ番組ポーションのモニタに応答して、ＴＶ信号のビデオ番組ポーションを表すビデオ信号をモディファイするステップを備えている。
【００１１】
本発明の他の態様によれば、ビデオ情報の表示をコントロールする方法は、基準レベルを設定するステップと、ＴＶ信号のオーディオ番組ポーションの信号レベルを比較するステップと、このオーディオ信号の比較結果に従って、ＴＶ信号のビデオ番組ポーションを表すビデオ信号をモディファイするステップとを含んでいる。
【００１２】
本発明の他の態様によれば、ＴＶ信号処理装置はビデオ情報の表示をコントロールする。ＴＶ信号を処理する装置は、ＴＶ信号のオーディオ番組ポーションをモニタする手段と、このオーディオ番組ポーションのモニタに応答して、ＴＶ信号のビデオ番組ポーションを表すビデオ信号をモディファイする手段とを含んでいる。
【００１３】
このＴＶ信号処理装置の他の態様は、モニタ手段に関するものであり、このモニタ手段は、基準レベルを設定する手段と、ＴＶ信号のオーディオ番組ポーションの信号レベルを比較する手段とを含んでいる。
【００１４】
本発明の他の態様では、ＴＶ信号レシーバは、ＴＶ番組信号のビデオ番組情報の表示をコントロールする。ＴＶ信号レシーバは基準レベルセッタ（setter）と、信号コンパレータと、ビデオ信号モディファイヤとを含んでいる。基準レベルセッタは基準レベルを設定するものである。信号コンパレータは、ＴＶ信号のオーディオ番組ポーションの信号レベルと、基準レベルとを比較するものである。ビデオ信号モディファイヤは、オーディオ番組ポーション比較結果に応じて、ＴＶ信号のビデオ番組ポーションを表すビデオ信号をモディファイするものである。
【００１５】
【発明の実施の形態】
以下、本発明の実施の形態を図面を参照して詳細に説明する。各図において、対応する参照キャラクタは対応する部分を示す。
【００１６】
図１を説明する。図１に１０で示すシステムは、ビデオおよびオーディオ信号を処理するように構成され、動作し、および／または、適合する。実施の形態の例では、予備の情報信号ポーションまたはコンポーネントと、ビデオ番組信号ポーションまたはコンポーネントと、オーディオ番組信号ポーションまたはコンポーネントとを含んでいるＴＶ番組信号を受信し処理するコンテキストで記述する。しかし、本発明は、オーディオ、ビデオ、及び予備の情報信号コンポーネントに関係付けをした個別の信号を受信し処理する装置および／または方法を含むシステムにも適用できる。加えて、ＴＶ信号および／または番組信号コンポーネントは、アナログまたはデジタルのいずれかにすることができる。この信号またはこれらの信号、例えば、ＴＶ信号は、図１において信号入力部１６で示すような任意の信号源からのものとすることができる。これらビデオ番組ポーションは、典型的には、ＴＶ番組信号により搬送される番組に関係するか関係しない予備の情報またはデータを含むことができる。しかし、構築されたシステム、又は本発明に従ってオペレートするシステムは、予備の情報を個別の信号として受信することができる。加えて、この予備の情報には、クローズド・キャプション／キャプショニング、テレテキスト（teletext）、番組ガイド、および／または、等々に関するデータを含めることがでるが、これらに限定されるものではない。
【００１７】
ＴＶ信号レシーバ１２は、ＴＶ信号入力部１６を介してＴＶ信号を受信する。ＴＶ信号入力部１６はＴＶ信号および／またはＴＶ信号入力端子を示す。本発明の一態様によれば、ＴＶ信号レシーバ１２は次のようなＴＶ番組（ＴＶ番組信号)を表すＴＶ信号を受信し処理するように動作し、同様に、ＴＶ番組に関係付けをしたパラメータをモニタし、ＴＶ番組信号のパラメータであって、オペレーションをモニタするためのパラメータのレベルをセットするように動作する。特に、ＴＶ信号レシーバ１２はパラメータレベルまたはパラメータ値をセッティングできるように動作する。このパラメータレベルはオーディオ番組ポーションの態様またはパラメータ、および／または、ＴＶ番組信号のビデオ番組ポーションに関係する。さらに、ＴＶ信号レシーバ１２はＴＶ番組信号を処理するかモニタするように動作し、ＴＶ番号信号からのビデオ番組情報か、ビデオ番組信号に関するビデオ番組情報のディスプレイ装置１４上への表示を、モニタリングオペレーションに基づくか応答してコントロールする。このモニタリングオペレーションには、例えば、選択されたパラメータレベルと、オーディオ番組ポーションのパラメータ値、および／または、ＴＶ番組信号のビデオ番組ポーションを比較することが含まれる。特に、ＴＶ信号レシーバ１２はＴＶ番組信号を処理し、ＴＶ番組信号に関係する予備のビデオ番組情報（ＴＶ番組信号内に含まれるのが典型的である）をコントロールする。このコントロールは、オーディオ番組ポーションの選択されたパラメータレベルと、ＴＶ番組信号のオーディオ番組ポーションのパラメータ値との比較結果に基づく行なわれる。本実施の形態では、予備のビデオ番組信号、予備の番組信号、または単なる予備の情報は、クローズド・キャプション／クローズド・キャプショニング情報／データを備えており、このパラメータ値はＴＶ番組信号のオーディオ番組ポーションのオーディオレベルであり、このパラメータレベルはオーディオレベルである。
【００１８】
図２はＴＶ信号レシーバ１２の具体例を示す。特に、ＴＶ信号レシーバ１２は、ここで記載したような本発明の原理に基づき、ＴＶ信号を処理する。ＴＶ信号レシーバ１２はコントローラ、コントロール回路／ロジック、および／または、等々１００と、メモリ、メモリ回路／ロジック、および／または、等々１１０と、ビデオプロセッサ、プロセッサ／処理回路／ロジック、処理ユニット、および／または、等々１２０と、オーディオプロセッサ、プロセッサ／処理回路／ロジック、処理ユニット、および／または、等々１３０と、ボリューム（音量）ディテクタ（volume detector）、ディテクタ回路／ロジック、および／または、等々１４０と、コンパレータ、コンパレータ回路／ロジック、および／または、等々１５０を含む。リモートコントロール、コントロールユニット、および／または、等々１６０は、ユーザ入力を受け取り、ユーザ入力をＴＶ信号レシーバ１２に伝送する。ＴＶ信号レシーバ１２は、伝送されたユーザ入力を受け取りデコードし処理する。リモートコントロール１６０からのユーザ入力は、ＴＶ信号レシーバ１２により生成され、ディスプレイ装置１４上に表示された、１以上のセットアップメニュー等に応答する。しかし、ユーザ入力は他の手段により（例えば、スイッチ、例えば、ＴＶレシーバのフロントパネルコントロール、および／または、リモートデバイス、例えば、ホームネットワークを介してＴＶレシーバに接続されているＰＣまたは他のコントロールデバイスにより）入力させることができる。
【００１９】
コントローラ１００はＴＶ信号レシーバ１２のオペレーションをコントロールし、他のコンポーネント、および／または、図１に示すような機能に結合され、同様に、図１に図示されていない機能であって、ＴＶ信号レシーバの一部である機能、例えば、チューナと、入力信号源を選択するための信号選択スイッチを含む（しかし、これらに限定されるものではない）入力信号源に結合されている。
【００２０】
ＴＶ信号レシーバ１２への入力信号は、ビデオ処理ユニット１２０の入力（Video In）に結合されたビデオ入力信号と、オーディオ処理ユニット１３０の入力（Audio In）に結合されたオーディオ入力信号とを備えている。ユーザによるＴＶ信号レシーバ１２のコントロールは、例えば、信号源（例えば、我々のチャンネルのデバイス）を選択するため、ＴＶレシーバ１２のセットアップパラメータを確立するため、リモートコントロール１６０をオペレートさせて行なわれる。本発明に係るこのような１つのパラメータにより、ビデオ番組情報の表示がイネーブルおよび／またはディスエーブルにされる。このビデオ番組情報は、予備の情報、例えば、予備の情報コントロール機構をクローズド・キャプションしイネーブルするか、ディスエーブルする。セットアップパラメータは、ユーザがオンスクリーン表示「ＯＳＤ」メニューからパラメータを選択することにより確立することができる。このＯＳＤメニューを表すビデオ信号は、コントローラ１００とビデオ処理ユニット１２０とにより、リモートコントロール１６０からのリモートコントロール信号に応答して生成され、ビデオ処理ユニット１２０から信号Video Outの一部として出力され、ディスプレイ装置１４、例えば、キネスコープ（kinescope）またはフラットパネルディスプレイ上に表示される。このビデオ入力およびオーディオ入力信号は、ＴＶ信号またはＴＶ番組信号の、ビデオおよびオーディオ番組ポーションか信号コンポーネントを表している。周知のように、図２に示すビデオおよびオーディオ入力信号は、ＶＣＲのようなデバイスからの個別の信号コンポーネントとして直接受信された信号コンポーネントを表すことができ、あるいは、ＮＴＳＣ ＴＶ信号のようなＴＶ信号からデコードされた信号コンポーネントを表すことができる。ＲＦ周波数で変調されたＮＴＳＣ信号、例えば、放送またはケーブルＴＶ信号が受信された場合は、ビデオおよびオーディオ入力信号が、図２では図示されないビデオおよびオーディオＩＦユニットにより生成される。
【００２１】
コントローラ１００は、ＴＶ信号レシーバ１２のオペレーションをコントロールしてＯＳＤ情報を生成し、ビデオ入力信号を受信し、クローズド・キャプショニングがイネーブルされたときは、ビデオ信号に含まれクローズド・キャプションド情報をデコードする。デコードされたクローズド・キャプションド情報は、例えばコントローラ１００のＯＳＤプロセッサポーションを用いて、表示に適したフォーマットにフォーマットされ、ビデオプロセッサ１２０に結合される。このビデオプロセッサ１２０への結合は、所望のクローズド・キャプションド表示を行なうのに適したタイミングで、Video out信号に挿入するために行なわれる。
【００２２】
ボリュームディテクタ１４０は、オーディオ信号の信号レベルを検出するため、Audio out信号に結合され、コンパレータ１５０はコントロール１００からの基準レベルと、ボリュームディテクタ１４０により検出されたオーディオ信号レベルを表す信号とに結合される。コンパレータ１５０はオーディオ信号レベルと基準レベルとの関係を表す出力信号、例えば、オーディオ信号レベルが基準レベルを超えるか基準レベル未満であるかを表す出力信号を生成する。コントローラ１００は、ビデオプロセッサ１２０により生成されたVideo out信号をモディファイするため、コンパレータ１００により生成されたこの関係を表す信号に応答する。以下、本発明の原理に基づくＴＶレシーバ１２のオペレーションの例を説明する。
【００２３】
まず、ユーザはセットアップメニューをアクティベートする。これはリモートコントロール１６０を用いて行なうのが好ましい。また、ユーザはここでは「アクティブ・クローズド・キャプショニング」機構ということにする機構をイネーブルにする。この機構によれば、Audio out信号が基準（またはパラメータまたは閾値）レベルまたは値未満になったとき、クローズド・キャプショニングのような予備の情報をデコードし表示することをイネーブルする。
【００２４】
この基準レベルを、設定されたレベル、例えば、５ｄＢにすることができるか、アクティブ・クローズド・キャプショニング機構をイネーブルするレベルとすることができる。ユーザはこの基準レベルを確立することができる。例えば、リモートコントロールを用いて、このボリュームを、セットアップモードにおいて所望のボリュームを生成するレベルに設定する。このセットアップモードから抜けたとき、この基準またはパラメータレベル（ボリュームレベル）は、コントローラ１００によって、オーディオ信号基準レベルとして、例えば、メモリ１１０にストアされる。
【００２５】
アクティブ・クローズド・キャプショニング・モードがイネーブルにされ、基準レベルが確立されて、セットアップモードから抜けたとき、ボリュームディテクタ１４０は、ＴＶ番組信号のAudio out信号の信号レベルを測定する。Audio out信号はコンパレータ１５０によりこの基準レベルと比較される。この比較結果により、オーディオ信号レベルと基準レベルとの関係を表す信号、および／または、オーディオ信号レベルがこの基準レベルを超えたか否かを表す信号を生成する。コントローラ１００は、この関係を表す信号をモニタし、基準レベルとの特定の関係を表すAudio out信号レベルに応答して、クローズド・キャプショニングの表示をイネーブルにしディスエーブルにする。
【００２６】
例えば、クローズド・キャプショニングは、Audio out信号レベルが基準レベル未満になるとイネーブルにされ、Audio out信号レベルが基準レベルを超えると、ディスエーブルにされる。ボリュームディテクタ１４０においてAudio out信号レベルを決定する１つのアプローチは、例えば、前の数秒間におけるAudio out信号レベルのランニング（running）平均を維持することである。あるいはまた、ボリュームディテクタ１４０とコンパレータ１５０が個別のデバイスとして示されている場合において、これらの機能は、コントローラ１００により、ソフトウェアでインプリメントされている。このようなソフトウェアによるインプリメンテーションは、オーディオプロセッサ１３０がオーディオ信号のデジタル信号処理を含む場合に、特に有益である。このオーディオ信号は、Audio outレベルを例えばデシベルでデジタル表現することができる。このオーディオ信号は、コントローラ１００によりモニタすることができ、メモリ１１０にストアされている基準レベルと比較することができる。
【００２７】
Audio out信号レベルが基準レベルと特定の関係を表すか否かを判定するため、比較結果を処理するには、時間間隔を考慮することもできる。例えば、第１時間間隔において、Audio out信号レベルが基準レベル未満である場合に、クローズド・キャプショニングをイネーブルにすることができ、他方、第２時間間隔において、Audio out信号レベルが基準レベルを超える場合に、クローズド・キャプショニングをディスエーブルにすることができる。
【００２８】
これら第１および第２時間間隔は、等しくすることもでき、異なるようにもでき、上述したセットアップメニュー機構を用いて、ユーザにより設定することもできる。
【００２９】
図３はシステム１０のオペレーションの一例を示し、特に、図１および図２に示すＴＶ信号レシーバ１２による例を示す。例えば、コントローラ１００によるルーチンの実行はステップ２００から開始され、ついで、ステップ２１０および２２０にて、ＴＶ番組信号のオーディオレベルをモニタする。ステップ２１０にて、オーディオレベルを検出する。ステップ２２０にて、ＴＶ番組信号のオーディオ番組ポーションのオーディオレベル（または値）が、設定された閾値（またはオーディオまたはパラメータレベル）未満か否か、すなわち、ＴＶ番組信号のオーディオ番組ポーションのオーディオレベル（または値）と、設定されるか又は予め定めた閾値オーディオレベルとの完全な関係を判定する。
【００３０】
そして、このオーディオ値（またはレベル）が、この設定された閾値基準レベル未満でない場合は、ステップ２１０および２２０を繰り返して、ＴＶ番組信号のオーディオ番組ポーションのオーディオレベルを連続してモニタする。他方、この設定された閾値基準レベル未満である場合は、ステップ２３０にて、このアクティブ・クローズド・キャプション機構がイネーブルであるか否かを判定する。そして、このアクティブ・クローズド・キャプション機構がイネーブルである場合は、ステップ２４０にて、クローズド・キャプショニングをターンオンし、ステップ２５０にて、このオーディオレベルを再びチェックする。このオーディオレベルが基準レベル未満である限り、ステップ２５０を繰り返し、クローズド・キャプショニングをイネーブルにしておく。
【００３１】
ステップ２５０が実行され、このオーディオレベルが基準レベルを超えると、ステップ２６０にて、クローズド・キャプショニングがターンオフされ、ついで、再び、ステップ２００からこのルーチンを開始する。そして、ステップ２３０にて、このアクティブなクローズド・キャプショニング機構がディスエーブルにされると、ステップ２７０にて、このルーチンを終了する。
【００３２】
図４は本発明の別の態様を示すフローチャートである。このフローチャートで示すフローは、クローズド・キャプショニングをイネーブルおよびディスエーブルにする図３に示すフローとは異なる。図４に示す例は、イネーブル基準とディスエーブル基準を満足するかどうかを判定するため、イネーブル基準とディスエーブル基準を試験するステップを含む。例えば、これらの基準により、いつ、どのくらいの間、アクティブ・クローズド・キャプショニング機構がイネーブルであったかを判断することができる。具体的には、ディスエーブル基準は、特定の時間間隔、例えば３０分とし、現行番組の長さとすることができる。すなわち、アクティブ・クローズド・キャプショニング機構を、特定の時間間隔および／または番組においてイネーブルにし、番組および／または時間間隔が終了したときディスエーブルにすることができる。
【００３３】
図４において、ルーチンはステップ３００から開始され、ステップ３１０にて、アクティブ・クローズド・キャプショニング機構がイネーブルになっているか否かを判定するため、例えば、イネーブルになった日時を知るため、アクティブ・クローズド・キャプショニング・イネーブル基準を満足するか否かを判断する試験を行なう。イネーブル基準を満足する場合には、ステップ３２０にて、オーディオレベルを試験する。オーディオレベルまたは値が基準レベル未満である場合には、ステップ３４０にて、クローズド・キャプショニングをイネーブルにする。他方、このオーディオレベルが基準レベルを超える場合には、ステップ３５０にて、クローズド・キャプショニングをディスエーブルにする。
【００３４】
ステップ３４０またはステップ３５０にて、アクティブ・クローズド・キャプショニング機構がディスエーブルになっているか否かを判定するため、アクティブ・クローズド・キャプショニング・ディスエーブル基準を試験する。このディスエーブル基準を満足しない場合には、アクティブ・クローズド・キャプショニング機構はイネーブルのままであり、ルーチンはステップ３００に戻る。他方、このディスエーブル基準を満足する場合には、ステップ３６０に進み、ついで、ステップ３７０にて、このルーチンを終了する。
【００３５】
このルーチンは、ステップ３１０にて、イネーブル基準を満足しない場合には、ステップ３７０にて、このルーチンを終了する。
【００３６】
図４の例におけるイネーブルおよびディスエーブル基準の他の例では、イネーブル／ディスエーブル基準を、具体的な日付および／または時間間隔（例えば、今日、この機構を６:００pmにイネーブルにし、９:００pmにディスエーブルにする）として定義することができる。あるいはまた、イネーブル／ディスエーブル基準は具体的な番組の長さとすることができる。
【００３７】
すなわち、ユーザは具体的な番組の名前をエンタすることができ、コントローラ１００は、エンタされた番組名前と、例えば、電子番組ガイド「ＥＰＧ」データベースにストアされている番組ガイド情報とを比較し、いつ具体的な番組がテレビ放送されたかを判断することができる。アクティブ・クローズド・キャプショニング機構を、具体的な番組の間、イネーブルまたはディスエーブルにすることができる。アクティブ・クローズド・キャプショニング機構を、あるチャンネルに対してイネーブルにし、あるチャンネルに対してディスエーブルにすることができる。アクティブ・クローズド・キャプショニング機構のイネーブルおよびディスエーブルを、Thomson Consumer Electronics、Inc（Indianapolis、Indiana）により製造されるDirecTV直接放送衛星信号レシーバのようなシステムに含まれるユーザプロファイルのようなユーザプロファイルを指定するパラメータとして含めることができる。アクティブ・クローズド・キャプショニング機構を、ユーザプロファイルパラメータ内のオプションとして含めることにより、この機構を、あるユーザに対してイネーブルにし、他のユーザに対してディスエーブルにすることができることになる。
【００３８】
以上、本発明を、好ましく設計したものを例に説明したが、本発明は、この開示の精神および範囲を逸脱しない限り、さらに修正することができる。本願は、本発明の原理を用いてした本発明の変更、使用、適用を網羅するものである。さらに、本願は、本開示を逸脱するが、本発明の属する技術分野において周知または慣用で、請求の範囲に属するものを網羅する。
【図面の簡単な説明】
【図１】本発明の原理を説明するためのブロック図である。
【図２】図１のＴＶ信号レシーバ１２の構成を示すブロック図である。
【図３】本発明の原理に基づくオペレーションの一例を示すフローチャートである。
【図４】本発明の原理に基づくオペレーションの他の例を示すフローチャートである。
【符号の説明】
１２  ＴＶ信号レシーバ
１４  ディスプレイ装置
１６  ＴＶ信号入力部
１００  コントローラ
１１０  メモリ
１２０  ビデオプロセッサ
１３０  オーディオプロセッサ
１４０  ボリュームディテクタ
１５０  コンパレータ
１６０  リモートコントロール
【図１】
0004290382.tif 000002
【図２】
0004290382.tif 000003
【図３】
0004290382.tif 000004
【図４】
0004290382.tif 000005